(57)【要約】      （修正有）【課題】魔法瓶本体が安定的に支持されるような魔法瓶保護ケースの底体を提供する。【解決手段】ケース本体１と底体２が一体的に固着されてなる魔法瓶保護ケースである。前記底体２は、底部と、この底部の縁から立ち上がっている側部と、前記ケース本体１とほぼ同じ直径の上部開口部からなり、前記上部開口部の面積よりも前記底部の接地面積の方が大きい。【選択図】図１
0003176194.tif 000002
【実用新案登録請求の範囲】
【請求項１】
ケース本体（１）と底体（２，２Ａ）が一体的に固着されてなる魔法瓶保護ケースであって、
前記底体（２，２Ａ）は、
底部（２１，２１Ａ）と、
この底部（２１，２１Ａ）の縁から立ち上がっている側部（２２，２２Ａ）と、
前記ケース本体（１）とほぼ同じ直径の上部開口部（２３，２３Ａ）からなり、
前記上部開口部（２３）の面積よりも前記底部（２１，２１Ａ）の接地面積の方が大きい
ことを特徴とする魔法瓶保護ケース（３）。
【請求項２】
前記側部（２２）が前記底部（２１）の縁から内側に傾斜しつつ立ち上がっている請求項１記載の魔法瓶保護ケース。
【請求項３】
前記側部（２２Ａ）に、外方に突出させた張り出し部分（２５Ａ）を設けた請求項１又は２記載の魔法瓶保護ケース。
【請求項４】
前記底体（２１，２１Ａ）の底面に凹凸（２４，２４Ａ）を設けた請求項１〜３の何れかに記載の魔法瓶保護ケース。
【請求項５】
前記底体（２１，２１Ａ）が軟質素材からなる請求項１〜４の何れかに記載の魔法瓶保護ケース。
【請求項６】
請求項１〜５の何れかに記載の魔法瓶保護ケース（３）に使用する底体（２，２Ａ）であって、
底部（２１，２１Ａ）と、
この底部（２１，２１Ａ）の縁から立ち上がっている側部（２２，２２Ａ）と、
前記ケース本体（１）とほぼ同じ直径の上部開口部（２３，２３Ａ）からなり、
前記上部開口部（２３）の面積よりも前記底部（２１，２１Ａ）の接地面積の方が大きい
ことを特徴とする魔法瓶保護ケース（３）の底体（２，２Ａ）。
【考案の詳細な説明】
【技術分野】
【０００１】
本考案は魔法瓶保護ケース及びそれに使用する底体に関する。
【背景技術】
【０００２】
行楽などで魔法瓶を携帯するとき、魔法瓶本体を保護すると共に運搬しやすくするために、衝撃に強く、保温性に配慮した保護ケースを使用することがある。例えば、ペットボトル用であって魔法瓶用ではないが、特開２００１−３１５８５７では、「内ケース１と外ケース２」からなる類似の保護ケースが紹介されている。
【考案の概要】
【考案が解決しようとする課題】
【０００３】
前記特開２００１−３１５８５７では、内ケース１は、「複数の保冷部材にて多層構造をなし、且つ、その内の一層が硬質の樹脂材にて所定形状を維持する如く形成されている。」外ケース２は、「ペットボトルの首部に沿う所定形状を維持して可撓性を有し、キャップ部を表出する開口縁部に、可撓性を許容するスリットを有している。」
【０００４】
この従来技術では、保護ケースは単に筒型であるため、野外の平坦でない場所で使用すれば転倒しやすい。魔法瓶が開栓状態で転倒したら熱湯がこぼれ、思わぬ重大事故を招くおそれがある。閉栓状態であっても、転倒により保護ケースが汚れて不衛生になりやすい。
【０００５】
本考案は、魔法瓶本体が安定的に支持されるような魔法瓶保護ケース及びそれに使用する底体を提供することを目的とする。
【課題を解決するための手段】
【０００６】
本考案は、ケース本体と底体が一体的に固着されてなる魔法瓶保護ケースであって、前記底体は、底部と、この底部の縁から立ち上がっている側部と、前記ケース本体とほぼ同じ直径の上部開口部からなり、前記上部開口部の面積よりも前記底部の接地面積の方が大きいことを特徴とする（請求項１）。
【０００７】
ある実施例では、前記側部が前記底部の縁から内側に傾斜しつつ立ち上がっている（請求項２）。
【０００８】
別の実施例では、前記側部に、外方に突出させた張り出し部分を設けている（請求項３）。
【０００９】
好ましくは、前記底体の底面に凹凸を設けている（請求項４）。
【００１０】
また好ましくは、前記底体は軟質素材からなる（請求項５）。
【００１１】
本考案は、ケース本体と底体が一体的に固着されてなる魔法瓶保護ケースに使用する前記底体もカバーする。この底体は、底部と、この底部の縁から立ち上がっている側部と、前記ケース本体とほぼ同じ直径の上部開口部からなり、前記上部開口部の面積よりも前記底部の接地面積の方が大きいことを特徴とする（請求項６）。
【考案の効果】
【００１２】
本考案請求項１〜３によれば、上部開口部の面積よりも底部の接地面積の方が大きいので、魔法瓶の安定支持に役立つ。
【００１３】
本考案請求項４によれば、底体の底面に凹凸が設けられているので、摩擦力が増大して転倒防止に役立つ。
【００１４】
本考案請求項５によれば、底体とケース本体が一体化しやすくなる。
【００１５】
本考案請求項６によれば、請求項１〜５で使用するのに適した底体が得られる。
【図面の簡単な説明】
【００１６】
【図１】本考案の魔法瓶保護ケース全体の斜視図である。
【図２】第１実施例に係る保護ケースの底体の斜視図である。
【図３】図２の底体の（ａ）平面図、（ｂ）底面図、（ｃ）正面図、（ｄ）Ｄ−Ｄ断面図、（ｅ）側面図、（ｆ）Ｆ−Ｆ断面図である。
【図４】第２実施例に係る保護ケースの底体の斜視図である。
【図５】図４の底体の（ａ）平面図、（ｂ）底面図、（ｃ）正面図、（ｄ）Ｄ−Ｄ断面図、（ｅ）側面図、（ｆ）Ｆ−Ｆ断面図である。
【考案を実施するための形態】
【００１７】
以下、添付の図面に基づき、本考案の１実施例を説明する。
【実施例１】
【００１８】
図１に示すように、この魔法瓶保護ケース３は、ケース本体１と底体２からなる。ケース本体１と底体２は、熱溶着その他の方法により固着させる。
【００１９】
ケース本体１は、本考案にとって新規部分ではない。魔法瓶（図示せず）を衝撃から守り、ある程度の保温保冷機能を有するものであればどのようなものでもよい。本願添付の図１のようなものでもよいし、前記特開２００１−３１５８５７に図示されているようなものでもよい。
【００２０】
底体２は、図２、図３に示すように、浅い皿のような形状である。素材は軟質部材である。軟質樹脂としては、例えば、ウレタン樹脂、塩化ビニル樹脂、ポリオレフィン等が挙げられる。
【００２１】
円形底部２１の縁から側部２２が内側に傾斜しつつ立ち上がっている。上部開口部２３は、ケース本体１とほぼ同じ直径の円形である。したがって、円形底部２１の直径よりも上部開口部２３の直径の方が小さい。側部上端２６はケース本体１と熱溶着その他により接合する部分である。
【００２２】
円形底部２１の底面には摩擦力を増大させるため凹凸２４が設けられている。この実施例では凹凸２４は、凸リングと凹リングを交互に設けることにより、形成されている。
【００２３】
傾斜側部２２には複数個所（図では６個所）で膨らみ２５が設けられている。この膨らみ２５は、装飾にもなるが、図３（ｆ）に示すように、底面接地面積を大きくする効果があり、魔法瓶の安定支持に役立つ。
【実施例２】
【００２４】
図４、図５は、本考案の第２実施例に係る底体２Ａである。第１実施例との相違点は、側部２２Ａが内側に傾斜していないことと、膨らみが大きく外側に張り出して、張り出し部分２５Ａを形成していることである。この張り出し部分は、装飾にもなるが、図５（ｆ）に示すように、底面接地面積を大きくする効果があり、魔法瓶の安定支持に役立つ。
【００２５】
その他、第１実施例と同様の部分には、第１実施例の符号に「Ａ」を付してその説明を省略する。
【符号の説明】
【００２６】
１     ケース本体
２，２Ａ      底体
２１，２１Ａ         底部
２２，２２Ａ         側部
２３，２３Ａ         上部開口部
２４，２４Ａ         凹凸
２５                 膨らみ
２５Ａ        膨らみ（張り出し部分）
２６                 側部上端
３     魔法瓶保護ケース
【先行技術文献】
【特許文献】
【００２７】
【特許文献１】特開２００１−３１５８５７
【図１】
0003176194.tif 000003
【図２】
0003176194.tif 000004
【図３】
0003176194.tif 000005
【図４】
0003176194.tif 000006
【図５】
0003176194.tif 000007